(57)【要約】【課題】通常の印刷用紙を用いたカレンダーにおいて、表面の絵柄、写真、文字を半立体形状に構成し、かつ鮮明に浮かび上がって見えるようにする。あるいは印刷された写真等の見え方が多様な見え方になるようにする。【解決手段】カレンダーＣ１の表面に、印刷用紙Ｓとは別素材でなり、周辺部分が炭素を含み黒色に発色する素材から構成される半立体形状の絵柄１〜８を貼着する。あるいは、写真Ｐ等を、半透明の素材からなる着色シートにて掩覆する。【選択図】        図１
0003101794.tif 000002
【実用新案登録請求の範囲】
【請求項１】
カレンダーの表面に半立体形状をなす１個または複数個の絵柄や写真や文字を貼着し、該半立体形状をなす絵柄や写真や文字の全部または一部の周辺部分を、炭素を含み黒色に発色する素材から構成したことを特徴とするカレンダー。
【請求項２】
カレンダーの表面に半立体形状をなす１個または複数個の絵柄や写真や文字を貼着し、該半立体形状をなす絵柄や写真や文字の全部または一部の影を炭素を含み黒色に発色する素材から構成して、該影を上記半立体形状をなす絵柄や写真や文字の全部または一部に連接あるいは遊離させて貼着して構成したことを特徴とするカレンダー。
【請求項３】
カレンダーの表面に、半透明の素材からなる１枚または複数枚の着色シートを貼着して構成したことを特徴とするカレンダー。
【請求項４】
カレンダーの表面に、半透明の素材からなる１枚または複数枚の着色シートを貼着して構成し、該着色シートの表面及び／又はカレンダーの表面に、半立体形状をなす１個または複数個の絵柄や写真や文字を貼着し、該半立体形状をなす絵柄や写真や文字の全部または一部の周辺部分を、炭素を含み黒色に発色する素材から構成したことを特徴とするカレンダー。
【請求項５】
カレンダーの表面に、半透明の素材からなる１枚または複数枚の着色シートを貼着して構成し、該着色シートの表面及び／又はカレンダーの表面に、半立体形状をなす１個または複数個の絵柄や写真や文字を貼着し、該半立体形状をなす絵柄や写真や文字の全部または一部の影を炭素を含み黒色に発色する素材から構成して、該影を上記半立体形状をなす絵柄や写真や文字の全部または一部に連接あるいは遊離させて貼着して構成したことを特徴とするカレンダー。
【考案の詳細な説明】
【技術分野】
【０００１】
本考案は、カレンダーに関するものであり、さらに詳しくは、下記Ａ）〜Ｅ）の構成を有するカレンダーに関するものである。
Ａ）カレンダーの表面に半立体形状をなす１個または複数個の絵柄や写真や文字を貼着し、該半立体形状をなす絵柄や写真や文字の全部または一部の周辺部分を、炭素を含み黒色に発色する素材から構成したことを特徴とするカレンダー。
【０００２】
Ｂ）カレンダーの表面に半立体形状をなす１個または複数個の絵柄や写真や文字を貼着し、該半立体形状をなす絵柄や写真や文字の全部または一部の影を炭素を含み黒色に発色する素材から構成して、該影を上記半立体形状をなす絵柄や写真や文字の全部または一部に連接あるいは遊離させて貼着して構成したことを特徴とするカレンダー。
【０００３】
Ｃ）カレンダーの表面に、半透明の素材からなる１枚または複数枚の着色シートを貼着して構成したことを特徴とするカレンダー。
【０００４】
Ｄ）カレンダーの表面に、半透明の素材からなる１枚または複数枚の着色シートを貼着して構成し、該着色シートの表面及び／又はカレンダーの表面に、半立体形状をなす１個または複数個の絵柄や写真や文字を貼着し、該半立体形状をなす絵柄や写真や文字の全部または一部の周辺部分を、炭素を含み黒色に発色する素材から構成したことを特徴とするカレンダー。
【０００５】
Ｅ）カレンダーの表面に、半透明の素材からなる１枚または複数枚の着色シートを貼着して構成し、該着色シートの表面及び／又はカレンダーの表面に、半立体形状をなす１個または複数個の絵柄や写真や文字を貼着し、該半立体形状をなす絵柄や写真や文字の全部または一部の影を炭素を含み黒色に発色する素材から構成して、該影を上記半立体形状をなす絵柄や写真や文字の全部または一部に連接あるいは遊離させて貼着して構成したことを特徴とするカレンダー。
【背景技術】
【０００６】
従来のカレンダーは、紙の表面に印刷を施したものが大部分であり、1年１２カ月分を１枚の紙に印刷した場合は所謂「１枚もの」として、２ヶ月分を１枚の紙に印刷すれば６枚の紙を綴じたものとして、１ヶ月分を１枚の紙に印刷すれば１２枚の紙を綴じたものとして構成されている。
【０００７】
このようなカレンダーは使用に便利で、贈答用として、あるいは販売用として各種のものが多数製作されており、紙の表面には、「タマ」と称される月や日にちを表示する数字のみならず、様々な写真や絵柄、あるいは文字が印刷されて、興趣溢れる紙面構成を試みているものも多い。
【０００８】
しかしながら、紙の表面に印刷された写真や絵柄、あるいは文字は、多くは印刷用のインクを用いて普通に印刷された平面的なものであり、また、印刷状態の見え方も固定的で、例えば昼の風景写真は昼の状態のみの見え方に限られ、夜の風景写真は夜の状態のみの見え方に限られるというように、変化の乏しいものであった。
【０００９】
このうち、平面的な印刷状態を解消して、絵柄や写真を半立体的に浮かび上がらせようという試みとしては、下記特許文献１（図９参照）に示すように、印刷媒体であるシート１００そのものに凹凸を施して、立体印刷画２００を半立体形状とした考案が存在する。  
【００１０】
また、印刷状態の見え方そのものを変化させるという発明・考案は、調査した従来技術の範囲内に発見することはできなかった。下記特許文献２、及び３には、カレンダーの表面を透明または半透明の貼着フィルムあるいはフィルムシートで被覆する考案あるいは発明が開示されているが、これらの考案あるいは発明は、その構成・作用・効果のいずれにおいても印刷状態の見え方そのものを変化させるという点には全く言及していないものである。
【特許文献１】実公平２−１３１７６９
【特許文献２】実公平７−３７６６０
【特許文献３】特表２００２−５３９００１
【考案の開示】
【考案が解決しようとする課題】
【００１１】
特許文献１は、絵柄や写真を半立体的に浮かび上がらせようという試みとしては、確かに一定の効果を有するものである。しかしながら、このように、印刷媒体であるシートそのものに凹凸を施す場合には、印刷媒体であるシートとして通常のカレンダーに使用されているような薄い印刷用紙を使用するわけにはいかない。
【００１２】
特許文献１のような印刷状態を実現するためには、印刷用媒体として合成樹脂製あるいは金属製のシート、もしくは紙製であるならかなりの厚みを有する腰の強い紙が必要となってくる。そのため、印刷も通常の印刷機では不可能で特殊な設備を要し、製作の手間も費用も嵩む結果とならざるを得なかった。
【００１３】
また、特許文献１のような印刷状態においては、半立体形状を付与された絵柄や写真の部分と平面形状のままのその他の部分（背景部分）が同一の素材で連続的に構成されているため、半立体形状と平面形状の境界が際立たず、ために、半立体形状の半立体性が視覚的に弱められるという欠点を有していた。
【００１４】
さらに、先述のように印刷状態の見え方そのものを変化させるという発明・考案は、調査した従来技術の範囲内に発見することはできず、その限りでは、このような面を解決した従来技術は存在しなかったと言い得るものである。
【００１５】
従って、本考案においては、以下に記述する３つの課題を、解決すべき課題として設定した。
＜課題１＞
カレンダーを構成する毎葉の印刷用媒体として、通常のカレンダー用の印刷用紙を用いることができ、しかもその表面に、半立体形状をなす絵柄や写真や文字を持つ構成を有するカレンダーを実現する。
【００１６】
＜課題２＞
課題１に記載のカレンダーにおいて半立体形状の絵柄や写真や文字と平面形状の背景部分の差異を際立たせ、半立体形状の半立体性が視覚的に弱められるという欠点の存しない構成を有するカレンダーを実現する。
【００１７】
＜課題３＞
従来のカレンダーにおいて、印刷状態の見え方が固定的で、例えば昼の風景写真は昼の状態のみ、夜の風景写真は夜の状態のみというように、変化の乏しい状態を改変し、多様な印刷状態の見え方が可能な構成を有するカレンダーを実現する。
【課題を解決するための手段】
【００１８】
本考案においては、上記課題を解決するために、下記の解決手段１〜解決手段５を提供する。
【００１９】
＜解決手段１＞
カレンダーの表面に半立体形状をなす１個または複数個の絵柄や写真や文字を貼着し、該半立体形状をなす絵柄や写真や文字の全部または一部の周辺部分を、炭素を含み黒色に発色する素材から構成したことを特徴とするカレンダー。
【００２０】
＜解決手段２＞
カレンダーの表面に半立体形状をなす１個または複数個の絵柄や写真や文字を貼着し、該半立体形状をなす絵柄や写真や文字の全部または一部の影を炭素を含み黒色に発色する素材から構成して、該影を上記半立体形状をなす絵柄や写真や文字の全部または一部に連接あるいは遊離させて貼着して構成したことを特徴とするカレンダー。
【００２１】
＜解決手段３＞
カレンダーの表面に、半透明の素材からなる１枚または複数枚の着色シートを貼着して構成したことを特徴とするカレンダー。
【００２２】
＜解決手段４＞
カレンダーの表面に、半透明の素材からなる１枚または複数枚の着色シートを貼着して構成し、該着色シートの表面及び／又はカレンダーの表面に、半立体形状をなす１個または複数個の絵柄や写真や文字を貼着し、該半立体形状をなす絵柄や写真や文字の全部または一部の周辺部分を、炭素を含み黒色に発色する素材から構成したことを特徴とするカレンダー。
【００２３】
＜解決手段５＞
カレンダーの表面に、半透明の素材からなる１枚または複数枚の着色シートを貼着して構成し、該着色シートの表面及び／又はカレンダーの表面に、半立体形状をなす１個または複数個の絵柄や写真や文字を貼着し、該半立体形状をなす絵柄や写真や文字の全部または一部の影を炭素を含み黒色に発色する素材から構成して、該影を上記半立体形状をなす絵柄や写真や文字の全部または一部に連接あるいは遊離させて貼着して構成したことを特徴とするカレンダー。
【考案の効果】
【００２４】
本考案の解決手段１、解決手段２、解決手段４、解決手段５によれば、カレンダーの印刷用媒体そのものと半立体形状を付与した絵柄や写真や文字は別構成のものであり、半立体形状を付与した絵柄や写真や文字をカレンダーの表面に貼着して構成するので、半立体形状を付与した絵柄や写真や文字によってカレンダーの印刷用媒体が素材的に限定を受けるということがない。
【００２５】
すなわち、カレンダーの印刷用媒体として、ごく通常のカレンダー用の印刷用紙が使用でき、特殊な印刷機あるいは特殊な印刷工程を用いる必要がない。無論、希望次第では様々な特殊用紙や各種の厚みの用紙、合成樹脂製のシートを用いることも当然可能である。
【００２６】
本考案の解決手段１及び解決手段４によれば、カレンダーの表面に、半立体形状をなす１個または複数個の絵柄や写真や文字を貼着し、該半立体形状をなす絵柄や写真や文字の全部または一部の周辺部分を、炭素を含み黒色に発色する素材から構成しているので、半立体形状の絵柄や写真や文字と平面形状の背景部分との境界が際立ち、半立体形状の部分の半立体性が視覚的に弱められるという欠点が解消される。
【００２７】
本考案の解決手段２及び解決手段５によれば、カレンダーの表面に、半立体形状をなす１個または複数個の絵柄や写真や文字を貼着し、該半立体形状をなす絵柄や写真や文字の全部または一部の影を炭素を含み黒色に発色する素材から構成して、該影を上記半立体形状をなす絵柄や写真や文字の全部または一部に連接あるいは遊離させて貼着して構成しているので、上記半立体形状をなす絵柄や写真や文字の黒色の影が上記半立体形状をなす絵柄や写真や文字を際立たせ、背景から上記半立体形状をなす絵柄や写真や文字を視覚的に立体的に浮かび上がらせる効果を有している。
【００２８】
本考案の解決手段３及び解決手段４及び解決手段５によれば、カレンダーの表面に、半透明の素材からなる１枚または複数枚の着色シートを貼着して構成しているので、従来のカレンダーにおいて、印刷状態の見え方が固定的で、例えば昼の風景写真は昼の状態のみの見え方、夜の風景写真は夜の状態のみの見え方というように、印刷状態の見え方に変化の乏しい状態が改変され、多様な印刷状態の見え方が可能な構成を有するカレンダーを実現することができた。
【考案を実施するための最良の形態】
【００２９】
本考案を実施するための最良の形態を、以下に実施例１〜実施例４にて示し、各実施例に関して、図面を参照しながら詳しく説明する。なお、実施例１は解決手段１の１実施例、実施例２は解決手段２の１実施例、実施例３は解決手段３の１実施例、実施例４は解決手段４及び解決手段５の１実施例である。
【実施例１】
【００３０】
＜実施例１の構成＞
図１において、Ｃ１は本考案の実施例１のカレンダーであり、印刷用紙Ｓの表面に写真Ｐや暦部分Ｔが印刷されている。印刷用紙Ｓは通常の４色印刷に用いられるアート紙あるいはコート紙であり、厚さも通常のカレンダーに用いられる用紙の厚さと変わりはない。また、写真Ｐは冬季の湖沼の風景写真であり、通常のカメラを用いて通常に撮影したカラーポジフィルムを製版して通常の４色印刷にて印刷したものである。
【００３１】
印刷用紙Ｓの写真Ｐが印刷された部分には、写真Ｐの地上部分に小鹿の半立体形状の絵柄１、２が貼着され、写真Ｐの天空部分に月の半立体形状の絵柄３、土星の半立体形状の絵柄４、星の半立体形状の絵柄５ａ、５ｂ、５ｃが貼着されている。また、暦部分Ｔの近傍には羽子板の半立体形状の絵柄６、羽根の半立体形状の絵柄７、雪だるまの半立体形状の絵柄８が貼着されている。上記絵柄１〜８は、すべて周囲を黒色で縁取られた状態である。
【００３２】
上記絵柄１〜８の構成を、小鹿の半立体形状の絵柄１を例にとって、図面を参照しながら詳しく説明する。図３は小鹿の半立体形状の絵柄１の外観斜視図であり、図４は図３のＡ‐Ａ断面図である。図３、図４にて、１１は絵柄１の本体部分であり、１２は絵柄１の周辺に配設された影部分である。本体部分１１は絵柄１の内容（この場合は小鹿）に従って凹凸を与えられており、その素材は合成樹脂である。また、影部分１２は絵柄１の周辺を同一幅で囲繞しており、その素材としては、炭素を含み黒色に発色する合成樹脂を用いている。なお、影部分１２は、本体部分１１を正面前方の仮想の点光源（図示せず）から照射した際に、本体部分１１の後方に、本体部分１１と平行に設けられた仮想平面（図示せず）に投射された射影として想定されているので、「影部分」の呼称を用いているものである。
【００３３】
図４にては本体部分１１の内部を稠密に構成した例を示しているが、本体部分１１の内部を中空に構成することも無論可能である。また、本体部分１１と影部分１２は連続して同一素材で構成することも、非連続として同一素材で構成することも、非連続として異なる素材で構成することも可能である。但し、非連続として構成した場合においても、本体部分１１と影部分１２は間隙なく連接されるものである。
【００３４】
また、図３、図４にて、１３は本体部分１１と影部分１２の底面に接着された貼着用シートである。貼着用シート１３には一旦貼着すれば剥離不能な強力な接着力を有する素材を使用することも、また、一旦貼着しても剥離及び再貼着が可能な弱い接着力を有する素材を使用することも可能である。なお、場合によっては、貼着用シート１３の底面に、さらに剥離用シート１４を連接しておくことも可能である。また、図３、図４にては、貼着用シート１３及び剥離用シート１４はある程度の厚みを以って表示されているが、実際上は本体部分１１及び影部分１２の厚みに比較すれば、貼着用シート１３及び剥離用シート１４の厚みは殆ど無視し得る程度のものである。
【００３５】
上記にて、絵柄１の構成を詳しく説明したが、図１における絵柄２〜８も同様の構成を有するものである。
【００３６】
＜実施例１の作用＞
実施例１の絵柄１〜８は上記のような構成を有するものであるので、絵柄１〜８を適宜の場所に貼着したカレンダーＣ１は図１に示す構成となる。該構成のカレンダーＣ１において、小鹿の絵柄１、２は背景となる写真Ｐの地上部分に配設貼着されているが、絵柄１、２が半立体形状で印刷用紙Ｓとは異なる素材からなるのに加えて、絵柄１の本体部分１１の周囲を黒色の影部分１２が、絵柄２の本体部分２１の周囲を黒色の影部分２２が、夫々囲繞しているので、絵柄１、２は背景となる写真Ｐからくっきりと際立ち、絵柄１、２の半立体形状も、背景となる写真Ｐに溶け込むことなく鮮明に浮かび上がる。
【００３７】
また、写真Ｐの天空部分に配設貼着された絵柄３、４、５ａ、５ｂ、５ｃもやはり背景となる写真Ｐからくっきりと際立ち、絵柄３、４、５ａ、５ｂ、５ｃの半立体形状も、背景となる写真Ｐに溶け込むことなく鮮明に浮かび上がる。さらに、暦部分Ｔの近傍に配設貼着された絵柄６，７，８も背景となる印刷用紙Ｓからくっきりと際立ち、絵柄６，７，８の半立体形状も、背景となる印刷用紙Ｓに溶け込むことなく鮮明に浮かび上がる。このようにして、絵柄１〜８が鮮明に浮かび上がるカレンダーＣ１を得ることができる。
【実施例２】
【００３８】
＜実施例２の構成＞
図２において、Ｃ２は本考案の実施例２のカレンダーであり、印刷用紙Ｓの表面に写真Ｐや暦部分Ｔが印刷されている。印刷用紙Ｓは紙質、厚さ共に実施例１における印刷用紙Ｓ（図１参照）と同一である。また、写真Ｐも実施例１における写真Ｐ（図１参照）と同一である。
【００３９】
印刷用紙Ｓの写真Ｐが印刷された部分には、写真Ｐの地上部分に小鹿の半立体形状の絵柄１０、２０が貼着され、写真Ｐの天空部分に月の半立体形状の絵柄３、土星の半立体形状の絵柄４、星の半立体形状の絵柄５ａ、５ｂ、５ｃが貼着されている。また、暦部分Ｔの近傍には羽子板の半立体形状の絵柄６０、羽根の半立体形状の絵柄７０、雪だるまの半立体形状の絵柄８０が貼着されている。上記絵柄１０、２０、６０、７０、８０は、射影された影が本体に連接され、３、４、５ａ、５ｂ、５ｃ、は周囲を黒色の影で縁取られた状態である。
【００４０】
上記絵柄のうち、絵柄３は実施例１の絵柄３（図１参照）と同一の構成であり、絵柄４は実施例１の絵柄４（図１参照）と同一の構成であり、絵柄５ａは実施例１の絵柄５ａ（図１参照）と同一の構成であり、絵柄５ｂは実施例１の絵柄５ｂ（図１参照）と同一の構成であり、絵柄５ｃは実施例１の絵柄５ｃ（図１参照）と同一の構成である。
【００４１】
残る絵柄１０、２０、６０、７０、８０の構成を、小鹿の半立体形状の絵柄１０を例にとって、図面を参照しながら詳しく説明する。図５は小鹿の半立体形状の絵柄１０の外観斜視図であり、図６は図５のＢ‐Ｂ断面図である。図５、図６にて、１０１は絵柄１０の本体部分であり、１０２は本体部分１０１に連接された影部分である。本体部分１０１は絵柄１０の内容（この場合は小鹿）に従って凹凸を与えられており、その素材は合成樹脂である。また、影部分１０２は本体部分１０１が特定の光源（図示せず）からの照射光を受けて形成される射影の形で本体部分１０１の下方に連接されており、その素材としては、炭素を含み黒色に発色する合成樹脂を用いている。
【００４２】
図６にては本体部分１０１及び影部分１０２の内部を稠密に構成した例を示しているが、本体部分１０１、影部分１０２共に内部を中空に構成することも無論可能である。また、本体部分１０１と影部分１０２は連続して同一素材で構成することも、非連続として同一素材で構成することも、非連続として異なる素材で構成することも可能である。
【００４３】
また、図５、図６にて、１０３ａは本体部分１０１の底面に接着された貼着用シート，１０３ｂは影部分１０２の底面に接着された貼着用シートである。貼着用シート１０３ａ，１０３ｂには一旦貼着すれば剥離不能な強力な接着力を有する素材を使用することも、また、一旦貼着しても剥離及び再貼着が可能な弱い接着力を有する素材を使用することも可能である。なお、場合によっては、貼着用シート１０３ａの底面に剥離用シート１０４ａを，貼着用シート１０３ｂの底面に剥離用シート１０４ｂを連接しておくことも可能である。
【００４４】
また、図５、図６にては、貼着用シート１０３ａ、１０３ｂ及び剥離用シート１０４ａ、１０４ｂはある程度の厚みを以って表示されているが、実際上は本体部分１０１及び影部分１０２の厚みに比較すれば、貼着用シート１０３ａ、１０３ｂ及び剥離用シート１０４ａ、１０４ｂの厚みは殆ど無視し得る程度のものである。
【００４５】
上記にて、絵柄１０の構成を詳しく説明したが、絵柄２０，６０，７０，８０も同様の構成を有するものである。
【００４６】
＜実施例２の作用＞
実施例２においても、絵柄３、４、５ａ、５ｂ、５ｃ、は実施例１の絵柄１〜８（図１参照）と同様の構成であるので、絵柄３、４、５ａ、５ｂ、５ｃは背景となる写真Ｐからくっきりと際立ち、絵柄３、４、５ａ、５ｂ、５ｃの半立体形状も、背景となる写真Ｐに溶け込むことなく鮮明に浮かび上がる（図２参照）。
【００４７】
また、絵柄１０、２０においては、本体部分１０１、２０１を夫々射影した形の影部分１０２、２０２が連接されているので、絵柄１０、２０の半立体形状も、背景となる写真Ｐに溶け込むことなく鮮明に浮かび上がる。特に、絵柄１０、２０が図２のように配設貼着された場合には、写真Ｐの天空部分に配設貼着された絵柄３（月の絵柄）が視覚的に光源の役割を果たし、小鹿の絵柄１０、２０が月光に照らし出されて影部分１０２、２０２が投影されているような印象となるので、絵柄１０、２０が鮮明に浮かび上がるのみならず、鑑賞者において、写真Ｐの空間的な立体感さえ惹起でき得る構成となる。
【００４８】
また、暦部分Ｔ近傍に配設貼着された絵柄６０、７０、８０においても、その半立体形状が鮮明に浮かび上がるのみならず、図２のように配設貼着された場合には、鑑賞者にとって、写真Ｐからの光によって照射されているような印象となるので、写真ＰとカレンダーＣ２の他の部分が視覚的に立体的関係を有するような構成となり、通常は関係性を有しない写真Ｐと暦部分Ｔが視覚的に立体的関係を有するような印象のカレンダーＣ２を構成し得るものである。
【実施例３】
【００４９】
＜実施例３の構成＞
図７に実施例３のカレンダーＣ３を示す。カレンダーＣ３は、実施例１、実施例２の印刷用紙Ｓと同一構成の印刷用紙Ｓに実施例１、実施例２の写真Ｐと同一構成の写真Ｐ及び実施例１、実施例２の暦部分Ｔと同一構成の暦部分Ｔが印刷されており、写真Ｐが、半透明の素材からなるグレー色調の着色シート９によって掩覆されている。図７は構成を明示するために、着色シート９の一部を巻き上げた状態を示しているが、通常では着色シート９により写真Ｐはすべて掩覆された状態にある。
【００５０】
図７では、着色シート９は上端部９ａの裏面に塗布された接着剤（図示せず）により印刷用紙Ｓの表面に貼着されているが、着色シート９の裏面全体に弱粘着性の透明接着剤を塗布して写真Ｐ上に貼着するという方法でも良い。あるいは、上端部９ａの裏面に塗布された接着剤（図示せず）を弱粘着性のものとしても良い。また、実施例３にては着色シートが１枚であるが、複数の半透明の着色シート（図示せず）を用いることも無論可能である。
【００５１】
＜実施例３の作用＞
着色シート９は半透明の素材からなるグレー色調であるため、写真Ｐが昼間の明るい光線に照らされた湖沼風景であっても、着色シート９に掩覆されることにより、全体の明度が落ちて、視覚的印象においては夜間の暗い湖沼風景に変化する。鑑賞者は、写真Ｐが着色シート９に掩覆された状態で夜間の湖沼風景を鑑賞し、次に着色シート９を捲り上げて昼間の湖沼風景を鑑賞することができる。このように、１枚の写真Ｐを、夜間の湖沼風景の写真として、あるいは昼間の湖沼風景の写真として、多様に楽しむことができる。
【００５２】
着色シート９が上端部９ａにより印刷用紙Ｓに接着されている場合には、鑑賞者は、着色シート９を下方から捲り上げたり再び掩覆したりして２様の異なった光の状態を楽しむが、着色シート９が裏面全体に塗布された弱粘着性の透明接着剤により写真Ｐに貼着されている場合には、鑑賞者は、下方からも、上方からも、また左右任意の方向からも着色シート９を捲くり上げて光の変化を楽しむことができる。また、弱粘着性の透明接着剤が着色シート９の裏面全体に塗布されている場合においても上端部９ａの裏面のみに塗布されている場合においても、鑑賞者は着色シート９を写真Ｐから完全に剥離して写真Ｐの見え方の変化を楽しむことができる。
【００５３】
実施例３における着色シート９はグレー色調であったが、着色シート９の素材の半透明という性質はそのままにして、色調を変化させることにより、鑑賞者は写真Ｐの状態を様々に変化させて楽しむことができる。例えば、着色シート９の色調を赤色系にすれば、鑑賞者は朝焼けあるいは夕焼けの光が満ちた湖沼風景を楽しむことができる。また、着色シート９の色調を黄色系や紫系等、地球上の風景の色としては通常現れてこないような色調にすることにより、鑑賞者は、写真Ｐをさながら別の惑星の湖沼風景を見るような気持ちで楽しむことも可能である。さらに、着色シート９の色調を、上半分を青系、下半分を透明とすることにより、青空の青さが強調された湖沼風景を楽しむこともできる。
【００５４】
なお、実施例３においては、着色シート９は写真Ｐを掩覆する構成であったが、例えば暦部分Ｔを掩覆するように構成して、月別に着色シートの色を変化させるといった構成も、当然考えられるものである。
【実施例４】
【００５５】
＜実施例４の構成＞
実施例４のカレンダーＣ４の構成を図８に示す。図８において、印刷用紙Ｓには写真Ｐと暦部分Ｔが印刷されている。印刷用紙Ｓは実施例１〜３の印刷用紙Ｓと同一の構成であり、写真Ｐも実施例１〜３の写真Ｐと同一の構成、暦部分Ｔも実施例１〜３の暦部分Ｔと同一の構成である。また、写真Ｐは、実施例３の着色シート９と同一の構成の着色シート９（半透明のグレー色調）により掩覆されている。
【００５６】
着色シート９の表面には、写真９の地上部分に相当する箇所に小鹿の絵柄１０、２０が貼着され、天空部分に相当する箇所に月の絵柄３、土星の絵柄４、星の絵柄５ａ、５ｂ、５ｃが夫々貼着されている。絵柄１０は実施例２の絵柄１０と同一の構成、絵柄２０は実施例２の絵柄２０と同一の構成であり、絵柄３は実施例１の絵柄３と同一の構成、絵柄４は実施例１の絵柄４と同一の構成、絵柄５ａ、５ｂ、５ｃは実施例１の絵柄５ａ、５ｂ、５ｃと同一の構成となっている。
【００５７】
＜実施例４の作用＞
実施例４のカレンダーＣ４においては、図８に見るように、グレーの色調の半透明の素材からなる着色シート９が写真Ｐを掩覆しているため、鑑賞者の視覚的印象としては、夜間の湖沼風景となる。しかるに、月の絵柄３、土星の絵柄４、星の絵柄５ａ、５ｂ、５ｃは着色シート９の表面に貼着されているため、着色シート９の影響を全く受けず、写真Ｐからも着色シート９からも鮮明に浮かび上がり、夫々の絵柄３、４、５ａ、５ｂ、５ｃの有する半立体的な構成も写真Ｐあるいは着色シート９から際立って明確に視認される。
【００５８】
また、小鹿の絵柄１０、２０も着色シート９の表面に貼着されているため、着色シート９の影響を全く受けず、写真Ｐからも着色シート９からも鮮明に浮かび上がり、夫々の絵柄１０、２０の有する半立体的な構成も写真Ｐあるいは着色シート９から際立って明確に視認される。従って、実施例４のカレンダーＣ４の写真Ｐ部分の鑑賞者における視覚的印象は、夜間の湖沼風景において、夜空に月と土星と星々がくっきりと輝き、地上には鮮明な月影に照らされて２匹の小鹿が群れ遊ぶ情景となる。
【００５９】
実施例４においても、着色シート９の色調を様々に変化させ得るものであることはいうまでもないことである。また、実施例４にては絵柄１０、２０、３、４、５ａ、５ｂ、５ｃをすべて着色シート９の表面に貼着しているが、このうちの一部または全部の絵柄を写真Ｐの表面に貼着し、その上を着色シート９で掩覆することも当然可能である。さらに、実施例１、実施例２のように、暦部分Ｔの近傍に各種絵柄（図示せず）を貼着するという構成も当然考え得るものである。
【００６０】
以上、実施例１〜４の構成及び作用につき詳述してきたが、実施例１、２、４においては写真Ｐの表面、あるいは暦部分Ｔの近傍に貼着したものはすべて絵柄であった。しかしながら、本考案においては、貼着するものは絵柄には限らないのであって、文字であっても写真であっても構わないし、絵柄、文字、写真を適宜混在させることも無論可能である。
【図面の簡単な説明】
【００６１】
【図１】本考案の実施例１の正面図である。
【図２】本考案の実施例２の正面図である。
【図３】本考案の実施例１の絵柄の１例の外観斜視図である。
【図４】図３のＡ−Ａ断面図である。
【図５】本考案の実施例２の絵柄の１例の外観斜視図である。
【図６】図５のＢ−Ｂ断面図である。
【図７】本考案の実施例３の正面図である。
【図８】本考案の実施例４の正面図である。
【図９】（ａ）前記特許文献１の考案のカレンダーの斜視図である。    （ｂ）図１０ａのＣ−Ｃ断面図である。
【符号の説明】
【００６２】
１      絵柄
２      絵柄
３      絵柄
４      絵柄
５ａ    絵柄
５ｂ    絵柄
５ｃ    絵柄
６      絵柄
７      絵柄
８      絵柄
９      着色シート
９ａ    上端部
１０    絵柄
１１    本体部分
１２    影部分
１３    貼着用シート
１４    剥離用シート
２０    絵柄
６０    絵柄
７０    絵柄
８０    絵柄
１００  シート
１０１  本体部分
１０２  影部分
１０３ａ  貼着用シート
１０３ｂ  貼着用シート
１０４ａ  剥離用シート
１０４ｂ  剥離用シート
２００  立体印刷画
２０１  本体部分
２０２  影部分
Ｃ１    カレンダー
Ｃ２    カレンダー
Ｃ３    カレンダー
Ｃ４    カレンダー
Ｐ      写真
Ｓ      印刷用紙
Ｔ      暦部分
【図１】
0003101794.tif 000003
【図２】
0003101794.tif 000004
【図３】
0003101794.tif 000005
【図４】
0003101794.tif 000006
【図５】
0003101794.tif 000007
【図６】
0003101794.tif 000008
【図７】
0003101794.tif 000009
【図８】
0003101794.tif 000010
【図９】
0003101794.tif 000011